(57)【特許請求の範囲】
【請求項１】
側板及び裏板が床面から離間して下方端が開放された底板のない収納家具であって、
前記側板の下端木口と前記裏板の下端木口とのコーナー部分が、
前記側板又は前記裏板の一方の下端木口に添着される短冊状の第１水平片と、前記第１水平片の先端から略直角に延びて形成され、前記側板又は前記裏板の他方の下端木口に添着される短冊状の第２水平片とを具備する固定金具で固定されていることを特徴とする収納家具。
【請求項２】
側板及び裏板が床面から離間して下方端が開放された底板のない収納家具における前記側板の下端木口と前記裏板の下端木口とのコーナー部分を固定するための固定金具であって、
前記側板又は前記裏板の一方の下端木口に添着される短冊状の第１水平片と、
前記第１水平片の先端から略直角に延びて形成され、前記側板又は前記裏板の他方の下端木口に添着される短冊状の第２水平片と、
前記第１水平片の内側端部から前記側板又は前記裏板の内表面に添着するよう立設されると共に、ネジ孔が穿設された第１垂直片と、
前記第２水平片の内側端部から前記側板又は前記裏板の内表面に添着するよう立設されると共に、ネジ孔が穿設された第２垂直片とを具備することを特徴とする固定金具。
【発明の詳細な説明】
【技術分野】
【０００１】
本発明は、収納家具と、これに用いる固定金具とに関する。
【背景技術】
【０００２】
従来より、側板と裏板とが玄関土間などの床面まで達しておらず、底板がなくて下方端が開放された収納家具が知られている。この種の収納家具は、主として玄関に設置して用いられるものであって、玄関土間などにおいてゴルフバッグやベビーカー等の高さがある物を有効に収納できるものである。
【０００３】
ところが、このように下方端が開放され、底板を有しない収納家具は、側板下端部と裏板下端部との固定状態によっては下方端の強度が不十分となり、構造的不安定さをもたらす場合があった。
【０００４】
そこで、このような構造的不安定さを解消するため、例えば特許文献１に示すように、底板の一部を残しつつ他の一部を着脱自在にして底部の剛性を保ちながら利便性を付与する技術や、左右の側板間に支持部材を架設することで底部の剛性を向上させる技術、或いは、図５に示すように、側板Ｓ下端部と裏板Ｂ下端部とのコーナー部分に、水平断面略Ｌ字状の金属板材からなる固定金具１をネジ２等で固定する技術が提案されている。
【先行技術文献】
【特許文献】
【０００５】
【特許文献１】特開２００３−２６５２４４号公報
【発明の概要】
【発明が解決しようとする課題】
【０００６】
しかしながら、上記従来の技術のうち、底板の一部を残す技術の場合には、収納家具の大きさ等に応じて異なった大きさの底板を複数種類準備しなければならないことから、部品点数が多くなり、施工にも手間がかかるようになると云う問題が有った。また、側板間に支持部材を架設する技術の場合には、支持部材の露出状態によっては安全性が低下したり、収納物が引っ掛かって収納し難くなるのに加え、支持部材の形状によってはやや美観が損なわれるようになると云う問題も有った。さらに、図５に示すような固定金具１を用いる技術の場合には、当該固定金具１に対して側板Ｓや裏板Ｂから固定金具１の厚み方向に応力が加わるようになる。従って、収納家具下端部の剛性を確保するためには固定金具１の厚みを大きくしなければならず、このように固定金具１の厚みを大きくするとコストアップにつながる他、収納家具の下端部に取り付けた肉厚の固定金具１が目立つようになり、美観が損なわれるようになると云う問題があった。
【０００７】
それゆえに、本発明の主たる課題は、底板が無く下方端が開放されているにもかかわらず十分な剛性を有するのに加え、部品点数も不必要に多くならず施工が簡単であると共に、使用時の安全性に支障がなく、収納物の引っかかりも生じない、美観に優れた収納家具と、このような収納家具に用いられる固定金具とを提供することである。
【課題を解決するための手段】
【０００８】
「請求項１」に記載した発明は、
（ａ）側板Ｓ及び裏板Ｂが床面Ｆから離間して下方端が開放された底板のない収納家具１０であって、
（ｂ）前記側板Ｓの下端木口と前記裏板Ｂの下端木口とのコーナー部分が、
（ｂ−１）前記側板Ｓ又は前記裏板Ｂの一方の下端木口に添着される短冊状の第１水平片２０と、
（ｂ−２）前記第１水平片２０の先端から略直角に延びて形成され、前記側板Ｓ又は前記裏板Ｂの他方の下端木口に添着される短冊状の第２水平片２２とを具備する
（ｂ−３）固定金具１２で固定されている
（Ｃ）ことを特徴とする収納家具１０、である。
【０００９】
この発明では、側板Ｓの下端木口と裏板Ｂの下端木口とのコーナー部分が、第１水平片２０と、この第１水平片２０の先端から略直角に延びて形成された第２水平片２２とで構成された固定金具１２で固定されているので、側板Ｓや裏板Ｂからこの固定金具１２に向けて与えられる応力は、各水平片２０，２２の板厚方向ではなく、主として固定金具１２を開く方向、すなわち板厚に比べて十分に大きな幅方向に作用する。したがって、固定金具１２として板厚の薄い材料で形成したものを使用したとしても、側板Ｓの下端木口と裏板Ｂの下端木口とのコーナー部分をしっかりと補強することができ、収納家具１０下端部の剛性を十分に確保することができる。また、固定金具１２を薄肉化できるので、安全性や美観などに影響がある収納家具１０表面への当該固定金具１２の出っ張りを極小化することができる。
【００１０】
「請求項２」に記載した発明は、請求項１に記載の収納家具１０に用いられる固定金具１２に関するもので、
（１）側板Ｓ及び裏板Ｂが床面Ｆから離間して下方端が開放された底板のない収納家具１０における前記側板Ｓの下端木口と前記裏板Ｂの下端木口とのコーナー部分を固定するための固定金具１２であって、
（２）前記側板Ｓ又は前記裏板Ｂの一方の下端木口に添着される短冊状の第１水平片２０と、
（３）前記第１水平片２０の先端から略直角に延びて形成され、前記側板Ｓ又は前記裏板Ｂの他方の下端木口に添着される短冊状の第２水平片２２と、
（４）前記第１水平片２０の内側端部から前記側板Ｓ又は前記裏板Ｂの内表面に添着するよう立設されると共に、ネジ孔２４ａが穿設された第１垂直片２４と、
（５）前記第２水平片２２の内側端部から前記側板Ｓ又は前記裏板Ｂの内表面に添着するよう立設されると共に、ネジ孔２６ａが穿設された第２垂直片２６とを
（６）具備することを特徴とする固定金具１２である。
【００１１】
本発明の固定金具１２では、第１水平片２０を側板Ｓの下端木口に添着させた場合には第２水平片２２を裏板Ｂの下端木口に添着させ、逆に、第１水平片２０を裏板Ｂの下端木口に添着させた場合には第２水平片２２を側板Ｓの下端木口に添着させることによって、１種類の固定金具１２で裏板Ｂの左右両端部に形成されるコーナー部分下端部の両方を補強することができる。つまり、本発明の固定金具１２は、裏板Ｂの左右どちらの側に形成されるコーナー部分の下端木口にも取り付けることができるので、収納家具１０の下端部を補強する上で、部品点数の増加を極小化することができる。
【００１２】
また、この固定金具１２は、収納家具１０の奥側下部に取り付けられるので、収納物の出し入れの際に手が触れて怪我をすることや引っかかって邪魔になることはない。
【００１３】
さらに、この固定金具１２には、第１垂直片２４と第２垂直片２６とが設けられているので、該固定金具１２を収納家具１０の下端コーナー部分に取り付ける際、第１垂直片２４及び第２垂直片２６を側板Ｓ或いは裏板Ｂの下端部内表面に合わせることで、第１及び第２水平片２０，２２を側板Ｓ又は裏板Ｂの下端木口の所定位置に合わせ易くすることができ、固定金具１２を収納家具１０の下端コーナー部分の所定位置に正確に位置決めすることができる。しかもこの第１及び第２垂直片２４，２６にはネジ孔２４ａ，２６ａが設けられているので、特に収納家具１０を組み立てて設置した後であっても、収納家具１０の下端コーナー部分に、収納家具１０の内側から釘やビス２８を用いて固定金具１２を容易且つ確実に取付・固定することができる。
【発明の効果】
【００１４】
本発明によれば、底板が無く下方端が開放されているにもかかわらず十分な剛性を有するのに加え、部品点数も不必要に多くならず施工が簡単であると共に、使用時の安全性に支障がなく、収納物の引っかかりも生じない、美観に優れた収納家具と、このような収納家具に用いられる固定金具とを提供することができる。
【図面の簡単な説明】
【００１５】
【図１】本発明の収納家具の一例を示す正面図である。
【図２】本発明の一実施例の収納家具の要部を示す一部切欠斜視図である。
【図３】本発明の固定金具の一例を示す図で、（ａ）は平面図、（ｂ）は正面図である。
【図４】本発明の一実施例の収納家具の要部を示す分解斜視図である。
【図５】従来の収納家具の固定金具を示す斜視図である。
【発明を実施するための形態】
【００１６】
以下、本発明を図面に従って詳述する。図１は本発明の一実施例の収納家具１０を示す正面図であり、図２は、その要部を示す一部切欠斜視図である。これらの図が示すように、本実施例の収納家具１０は、主として玄関などに設置され、玄関土間などの床面ＦにおいてゴルフバッグＧやベビーカーＣ等の高さがある物を有効に収納するためのもので、大略、裏板Ｂと、この裏板Ｂの左右両端部にその後端部が接続される一対の側板Ｓと、側板Ｓの上端部に架設される天板Ｔと、側板Ｓと裏板Ｂとのコーナー部分の下端に取り付けられた固定金具１２とで構成されている。
【００１７】
なお、図１に示す実施例では、上記各構成に加え、側板Ｓの前面に観音開きにて前扉１４が蝶着されると共に、収納家具１０内部の上方には複数の棚板１６やハンガーポール１８などが取り付けられているが、これらは必要に応じて設けられるものである。
【００１８】
この収納家具１０の裏板Ｂ，側板Ｓ，天板Ｔ及び棚板１６を構成する各板材は、挽材、合板、木質繊維板(インシュレーションボード[ＩＢ]，中質繊維板[ＭＤＦ]等)、木削片板(パーティクルボード、ストランドボード、配向性ストランドボード[ＯＳＢ]等)、集成材及び単板積層材などを単独或いはこれらを任意複合した材料などで形成されており、その表面は、必要に応じて、化粧紙，化粧樹脂含浸紙，化粧合成樹脂シート及び化粧単板等からなる化粧材を貼着することによって、或いは着色塗装，柄模様印刷及び透明塗装などを施すことによって装飾・保護されている。
【００１９】
ここで、本発明の収納家具１０は、裏板Ｂ及び側板Ｓが略同じ高さに形成されると共に、その下端部が玄関土間などの床面Ｆから離間するようにして施工(所謂フロート施工)されており、しかも底板がないため、下方端が開放されたものとなっている。このように下方端が開放された構造の場合、側板Ｓ下端部と裏板Ｂ下端部との固定状態によっては下方端の強度が不十分となり、構造的不安定さをもたらす場合がある。このため、側板Ｓと裏板Ｂとのコーナー部分の下端部が固定金具１２によって補強されている。
【００２０】
固定金具１２は、下方端が開放された収納家具１０の下端部を補強するためのもので、図３に示すように、主として第１水平片２０、第２水平片２２、第１垂直片２４、第２垂直片２６及びネジ孔２４ａ，２６ａなどで構成されている。
【００２１】
第１水平片２０は、側板Ｓ又は裏板Ｂの一方の下端木口に添着される短冊状の金属片である。この第１水平片２０は、側板Ｓ又は裏板Ｂの一方の下端木口に添着した際に、側板Ｓ或いは裏板Ｂの下端木口からはみ出さないように、これらの板幅以下の幅にて形成されている。具体的にこの第１水平片２０の寸法を例示すると、板厚３．２ｍｍ、幅１４．５ｍｍ、長さ１１４．５ｍｍのものが(一例として)挙げられる。そしてこの第１水平片２０の先端側は略直角に延ばされて第２水平片２２が一体的に形成されている。
【００２２】
第２水平片２２は、側板Ｓ又は裏板Ｂの他方の下端木口に添着される短冊状の金属片である。この第２水平片２２も第１水平片２０と同様に、側板Ｓ又は裏板Ｂの他方の下端木口に添着した際に、側板Ｓ或いは裏板Ｂの下端木口からはみ出さないように、これらの板幅以下の幅にて形成されている。なお、この第２水平片２２は、図示実施例のように上記第１水平片２０と同寸法にて形成するようにしてもよいし、別寸法で形成するようにしてもよい。
【００２３】
第１垂直片２４は、第１水平片２０の内側端部から側板Ｓ又は裏板Ｂの内表面に添着するよう立設された金属片で、図示実施例のものでは、第１水平片２０の内側端部に延設された部分が上方に向けて略直角に折り曲げられて第１水平片２０と一体的に形成されている。そして、この第１垂直片２４の所定位置には１又は複数箇所(図示実施例の場合は２箇所)のネジ孔２４ａが穿設されている。ここで、この第１垂直片２４の寸法を具体的に例示すると、第１水平片２０の寸法が上記例示寸法の場合、高さ２０．２ｍｍ、長さ８３ｍｍ程度のものを例示することができる。
【００２４】
第２垂直片２６は、第２水平片２２の内側端部から側板Ｓ又は裏板Ｂの内表面に添着するよう立設された金属片で、図示実施例のものでは、第１垂直片２４と同様に、第２水平片２２の内側端部に延設された部分が上方に向けて略直角に折り曲げられて第２水平片２２と一体的に形成されている。そして、この第２垂直片２６の所定位置にも１又は複数箇所(図示実施例の場合は２箇所)のネジ孔２６ａが穿設されている。なお、この第２垂直片２６は、図示実施例のように上記第１垂直片２４と同寸法にて形成するようにしてもよいし、別寸法で形成するようにしてもよい。
【００２５】
以上のように構成された固定金具１２を収納家具１０の下端コーナー部分に取り付ける際には、図４に示すように、収納家具１０の下端コーナー部分に固定金具１２を位置決めし、ネジ孔２４ａ，２６ａに通したビス２８などを用いて固定する。
【００２６】
本実施例の固定金具１２によれば、第１水平片２０を側板Ｓの下端木口に添着させた場合には第２水平片２２を裏板Ｂの下端木口に添着させ、逆に、第１水平片２０を裏板Ｂの下端木口に添着させた場合には第２水平片２２を側板Ｓの下端木口に添着させることによって、１種類の固定金具１２で裏板Ｂの左右両端部に形成されるコーナー部分下端部の両方を補強することができる。
【００２７】
また、この固定金具１２は、収納家具１０の奥側下部に取り付けられるので、収納物の出し入れの際に手が触れて怪我をすることや引っかかって邪魔になることはない。
【００２８】
さらに、この固定金具１２には、第１垂直片２４と第２垂直片２６とが設けられているので、該固定金具１２を収納家具１０の下端コーナー部分に取り付ける際、第１垂直片２４及び第２垂直片２６を側板Ｓ或いは裏板Ｂの下端部内表面に合わせることで、第１及び第２水平片２０，２２を側板Ｓ又は裏板Ｂの下端木口の所定位置に合わせ易くすることができ、固定金具１２を収納家具１０の下端コーナー部分の所定位置に正確に位置決めすることができる。しかもこの第１及び第２垂直片２４，２６にはネジ孔２４ａ，２６ａが設けられているので、特に収納家具１０を組み立てて設置した後であっても、収納家具１０の下端コーナー部分に、収納家具１０の内側から釘(図示せず)やビス２８を用いて固定金具１２を容易且つ確実に取付け・固定することができる。
【００２９】
そして、以上のような固定金具１２で補強した収納家具１０では、側板Ｓや裏板Ｂから固定金具１２に向けて与えられる応力は、各水平片２０，２２の板厚方向ではなく、主として幅方向に作用する。したがって、固定金具１２として板厚の薄い材料で形成したものを使用したとしても、側板Ｓの下端木口と裏板Ｂの下端木口とのコーナー部分をしっかりと補強することができ、収納家具１０下端部の剛性を十分に確保することができる。
【００３０】
なお、上述の実施例では、固定金具１２として第１及び第２垂直片２４，２６を有するものを示したが、この種の収納家具１０の下方端における構造的不安定さの解消のみを考えれば、このような垂直片２４，２６を設けずに第１及び第２水平片２０，２２のみで固定金具１２を構成するようにしてもよい。
【００３１】
また、ネジ孔２４ａ，２６ａに通したビス２８で収納家具１０の下端コーナー部分に固定金具１２を固定する場合を示したが、ネジ孔２４ａ，２６ａを設けることなく、接着剤などの他の接合手段で固定金具１２を固定するようにしてもよい。
【００３２】
さらに、上述の例では、固定金具１２として文字通り金属製のものを示したが、機械的強度などの物性に問題がなければこの固定金具１２を樹脂などの他の材料で形成するようにしてもよい。
【００３３】
そして、図１及び図２に示す収納家具１０では、裏板Ｂの左右両コーナー部分の下方端それぞれに固定金具１２を取り付ける場合を示したが、剛性上に問題が無ければ、固定金具１２を何れか一方のコーナー部分のみに取り付けるようにしてもよい。
【符号の説明】
【００３４】
１０…収納家具
１２…固定金具
１４…前扉
１６…棚板
１８…ハンガーポール
２０…第１水平片
２２…第２水平片
２４…第１垂直片
２４ａ…ネジ孔
２６…第２垂直片
２６ａ…ネジ孔
２８…ビス
Ｂ…裏板
Ｓ…側板
Ｔ…天板
Ｆ…床面
【図１】
0005443133.tif 000002
【図２】
0005443133.tif 000003
【図３】
0005443133.tif 000004
【図４】
0005443133.tif 000005
【図５】
0005443133.tif 000006